(57)【特許請求の範囲】
【請求項１】
前面に開口部を有する箱状の本体ケースと、
前記開口部を覆う上下方向に移動可能な前面シャッタと、
前記本体ケース内において前記前面シャッタと反対側に設けられた背面板と、
前記本体ケース内の空調を行う空調装置と、
前記空調装置から送り出された空気の流れを整える前記本体ケース内に設置された整流板と、
を備え、
前記整流板は、前記本体ケース内に設置された状態において、前記空調装置から送り出された空気の流れ方向と略同一方向に、前記整流板の一方の端部に壁面が形成された側壁部と、前記側壁部の端部に形成され、前記背面板に対して挿入される設置用挿入部と、を有し、
前記背面板は、前記整流板の前記設置用挿入部が挿入され、前記整流板を前記本体ケース内に設置する前記背面板に設けられた設置用スリット部を有する
バイオハザード対策用キャビネット。
【請求項２】
前記背面板は、前記設置用スリット部よりも前記空調装置側に前記空調装置から送り出された空気の流れ方向と略平行な調整面をさらに有し、
前記調整面は、前記整流板が前記本体ケース内に設置された状態において、前記整流板の前記側壁部よりも前記前面シャッタに近い構成とした
請求項１に記載のバイオハザード対策用キャビネット。
【発明の詳細な説明】
【技術分野】
【０００１】
本発明は、例えば、実験環境機器に用いられるバイオハザード対策用キャビネットに関するものである。
【背景技術】
【０００２】
従来のこの種、バイオハザード対策用キャビネットは、箱状の本体ケースと、この本体ケース内の空調を行う空調装置とを備えている。そして、本体ケース内には整流板が設置され、空調装置から送り出された空気の流れを整える構成となっていた（これに類似する先行文献としては下記特許文献１が存在する）。
【先行技術文献】
【特許文献】
【０００３】
【特許文献１】特開２０１４−１９３４６３号公報
【発明の概要】
【発明が解決しようとする課題】
【０００４】
上記従来例では、実験環境機器に用いられるバイオハザード対策用キャビネットとして信頼性を確保できない虞があった。
【０００５】
すなわち、本体ケース内には、整流板を取り付けるための設置部が設けられており、空調装置から送り出された空気の一部は、この設置部を経由して整流板から送り出される。ここで、設置部は整流板を取り付けるための空間を有しており、乱流を生じさせていた。
【０００６】
したがって、空調装置から送り出された空気の流れが本体ケース内において安定せず、その結果として、バイオハザード対策用キャビネットとして信頼性を確保できない虞があった。
【０００７】
そこで本発明は、バイオハザード対策用キャビネットとして信頼性を確保することを目的とするものである。
【課題を解決するための手段】
【０００８】
そして、この目的を達成するために本発明は、前面に開口部を有する箱状の本体ケースと、前記開口部を覆う上下方向に移動可能な前面シャッタと、前記本体ケース内において前記前面シャッタと反対側に設けられた背面板と、前記本体ケース内の空調を行う空調装置と、前記空調装置から送り出された空気の流れを整える前記本体ケース内に設置された整流板と、を備え、前記整流板は、前記本体ケース内に設置された状態において、前記空調装置から送り出された空気の流れ方向と略同一方向に、前記整流板の一方の端部に壁面が形成された側壁部と、前記側壁部の端部に形成され、前記背面板に対して挿入される設置用挿入部と、を有し、前記背面板は、前記整流板の前記設置用挿入部が挿入され、前記整流板を前記本体ケース内に設置する前記背面板に設けられた設置用スリット部、を有する構成とする。
【発明の効果】
【０００９】
以上のように本発明は、前面に開口部を有する箱状の本体ケースと、前記開口部を覆う上下方向に移動可能な前面シャッタと、前記本体ケース内において前記前面シャッタと反対側に設けられた背面板と、前記本体ケース内の空調を行う空調装置と、前記空調装置から送り出された空気の流れを整える前記本体ケース内に設置された整流板と、を備え、前記整流板は、前記本体ケース内に設置された状態において、前記空調装置から送り出された空気の流れ方向と略同一方向に、前記整流板の一方の端部に壁面が形成された側壁部と、前記側壁部の端部に形成され、前記背面板に対して挿入される設置用挿入部と、を有し、前記背面板は、前記整流板の前記設置用挿入部が挿入され、前記整流板を前記本体ケース内に設置する前記背面板に設けられた設置用スリット部、を有する構成としたものであるのでバイオハザード対策用キャビネットとして信頼性を確保することができる。
【００１０】
すなわち、本発明においては、本体ケース内に整流板が設置された状態では、整流板の設置用挿入部が、背面板の設置用スリット部に挿入されている。そして、設置用スリット部と設置用挿入部によってできる隙間を整流板の一方の端部に形成された側壁部の壁面が覆うようにしている。
【００１１】
したがって、整流板を取り付けるための設置部において整流板を取り付けるための空間をなくすことができるので、空調装置から送り出された空気の一部が、設置部を経由して整流板から送り出される場合においても乱流を生じさせることがない。
【００１２】
その結果として、バイオハザード対策用キャビネットとして信頼性を確保することができる。
【図面の簡単な説明】
【００１３】
【図１】本発明の一実施形態に係るバイオハザード対策用キャビネットの概略断面図
【図２】図１のバイオハザード対策用キャビネットの要部を説明する図
【発明を実施するための形態】
【００１４】
以下、本発明の一実施形態を、添付図面を用いて詳細に説明する。
【００１５】
（実施の形態１）
図１は、本実施形態におけるバイオハザード対策用キャビネット１の概略断面図である。
【００１６】
図１に示すごとく、本実施形態におけるバイオハザード対策用キャビネット（以下、キャビネットと記す）１は、例えば、実験環境機器に用いられる装置であって、作業者はこの装置を用いて、例えば細菌やウィルスなどを取り扱う作業を行う。
【００１７】
キャビネット１は、本体ケース２と、前面シャッタ３と、背面板４と、空調装置５と、整流板６と、を備えている。
【００１８】
本体ケース２は、前面に開口部７を有する箱状の部材であって、キャビネット１を利用する作業者は、開口部７から手を本体ケース２の内部に挿入した状態で作業を行う。
【００１９】
本体ケース２の開口部７は、前面シャッタ３によって覆われている。
【００２０】
前面シャッタ３は、キャビネット１に対して上下方向に移動させることが可能な構成としていて、この前面シャッタ３を移動させることによって本体ケース２の開口部７の開口領域を大きくしたり、小さくしたりする。
【００２１】
具体的には、例えば、本体ケース２の内部に実験用の試料や設備を入れるときには前面シャッタ３を上方向に移動させることによって開口部７の開口領域を大きくして作業をしやすくする。
【００２２】
また、本体ケース２の内部に試料や設備を入れた後、実験などの作業を行う段階では、前面シャッタ３を下方向に移動させることによって開口部７の開口領域を小さくして本体ケース２の内部に実験に必要な作業環境を確保する。
【００２３】
つまり、開口部７の開口領域は、作業者が開口部７から手を本体ケース２の内部に挿入した状態で作業を行うことができる程度に大きく、かつ、作業者が取り扱う細菌やウィルスなどを本体ケース２の内部に留めておくことができる程度に小さくしている。
【００２４】
前面シャッタ３は、ガラス板などの透明部材で構成され、実験などの作業を行う状態において作業者は前面シャッタ３を介して、本体ケース２内の状態を目視しながら作業を行うことができる構成としている。
【００２５】
そして、本体ケース２内において前面シャッタ３と反対側には背面板４が設けられている。
【００２６】
つまり、背面板４は本体ケース２内の奥方向である背面側に設けられている。
【００２７】
背面板４は、例えば金属製の板状部材であって、プレス加工などによって形成されている。
【００２８】
本体ケース２内において下方向である底面側には底面板９が設けられている。
【００２９】
底面板９は、例えば金属製の板状部材であって、プレス加工などによって形成され、背面板４に略直交した状態で設けられている。
【００３０】
底面板９は、作業台となる。
【００３１】
本体ケース２は、左右方向において背面板４に略直交する一対の側面板と、上方向において背面板４に略直交する上面板とをさらに備える構成となっている。
【００３２】
そして、本体ケース２の内部に箱状の作業空間を形成している。
【００３３】
本体ケース２の上方向である天面側には空調装置５が設置されている。
【００３４】
空調装置５は、本体ケース２の内部に空気を送る装置であって、ＨＥＰＡ（Ｈｉｇｈ−Ｅｆｆｉｃｉｅｎｃｙ  Ｐａｒｔｉｃｕｌａｔｅ  Ａｉｒ  ｆｉｌｔｅｒ）などのフィルタを有している。
【００３５】
そして、このフィルタで雑菌などを取り除いた空気を本体ケース２内に送ることによって、本体ケース２内の環境を無菌状態に保つ構成としている。
【００３６】
さらに、底面板９において本体ケース２の前面側と背面側にはそれぞれ前面側気体排出部１０および背面側気体排出部１１が設けられている。
【００３７】
空調装置５によって本体ケース２の内部に送られた空気は、前面側気体排出部１０および背面側気体排出部１１から本体ケース２の外に排出される。
【００３８】
空調装置５の下方側には整流板６が設置されている。
【００３９】
具体的には、例えば、本体ケース２において手前方向である開口部側、奥方向である背面側および開口部側と背面側の中央である中央部の３点において固定することによって整流板６を設置している。
【００４０】
より詳細には、例えば、開口部側および中央部において整流板６は本体ケース２とリベットなどの締結部材によって固定されている。なお、背面側において整流板６が本体ケース２に固定されている構成については後で詳述する。
【００４１】
そして、整流板６は、空調装置５から送り出された空気を整流して本体ケース２内に送り込む。
【００４２】
整流板６は、例えば金属製の板状部材であって、プレス加工などによって形成されている。
【００４３】
ここで、本実施形態における整流板６について図２を用いてさらに詳細に説明する。
【００４４】
図２は、図１に記載のＡ部を拡大した詳細断面図である。
【００４５】
図２に示すごとく、整流板６は、整流面１２を有し、整流面１２には、所定の大きさの貫通孔１３が所定の配列で、所定の数量だけ形成されている。この貫通孔１３を空気が通過することによって空調装置５から送り出された空気を整流している。
【００４６】
整流面１２は、整流板６が本体ケース２内に設置された状態において、空調装置５から送り出された空気が略直交して当たる向きに設けられている。
【００４７】
つまり、整流面１２に対して、空調装置５から送り出された空気の向きは略直交している。
【００４８】
整流面１２において本体ケース２内の奥方向である背面側には側壁部１４が設けられている。
【００４９】
側壁部１４は整流面１２に対して直立し、整流板６が本体ケース２内に設置された状態において、鉛直上方に向けて立つ状態で形成されている。
【００５０】
つまり、側壁部１４は、整流板６が本体ケース２内に設置された状態において、空調装置５から送り出された空気の流れ方向と略同一方向に整流板６の一方の端部に形成された壁面である。
【００５１】
また、側壁部１４は、整流板６が本体ケース２内に設置された状態において、本体ケース２内の背面板４に略当接した状態となるように設けられている。
【００５２】
つまり、整流板６が本体ケース２内に設置された状態において、側壁部１４と、本体ケース２内の背面板４との間に隙間が生じない構成としている。
【００５３】
側壁部１４において整流面１２と反対側の端部には設置用挿入部１５が設けられている。
【００５４】
設置用挿入部１５は、例えば、舌片状であって、整流板６が本体ケース２内に設置された状態において、背面板４に直交する向きに形成されている。
【００５５】
背面板４には、この設置用挿入部１５が挿入される設置用スリット部１６が形成されている。
【００５６】
設置用スリット部１６は、設置用挿入部１５の厚みよりも大きな開口領域を有している。
【００５７】
つまり、背面板４に設けられた設置用スリット部１６に、整流板６の設置用挿入部１５が挿入され、整流板６を本体ケース２内に設置する。このようにして、本体ケース２の背面側において整流板６が本体ケース２に固定されている。
【００５８】
以上の構成とすることで、本体ケース２内に整流板６が設置された状態では、整流板６の設置用挿入部１５が、背面板４の設置用スリット部１６に挿入されている。そして、設置用スリット部１６と設置用挿入部１５によってできる隙間を整流板６の一方の端部に形成された側壁部１４の壁面が覆うようにしている。
【００５９】
したがって、整流板６を取り付けるための設置部において整流板６を取り付けるための空間をなくすことができるので、空調装置５から送り出された空気の一部が、設置部を経由して整流板６から送り出される場合においても乱流を生じさせることがない。
【００６０】
さらに、背面板４は調整面１７をさらに有してもよい。
【００６１】
調整面１７は、整流板６が本体ケース２内に設置された状態において、整流板６よりも上方向側に背面板４に略平行に形成された面である。
【００６２】
つまり、調整面１７は、設置用スリット部１６よりも空調装置５側において、空調装置５から送り出された空気の流れ方向と略平行となる面である。
【００６３】
そして、調整面１７は、整流板６が本体ケース２内に設置された状態において、整流板６の側壁部１４よりも前面シャッタ３に近い構成としている。
【００６４】
このように構成することで、空調装置５から送り出された空気の一部が、設置部を経由して整流板６から送り出される場合において、さらに効果的に乱流を生じなくできる。
【００６５】
以上のように、本実施形態においては、空調装置５から送り出された空気の一部が、設置部を経由して整流板６から送り出される場合においても乱流を生じさせることがない。
【００６６】
その結果として、空調装置５から送り出された空気の流れを本体ケース２内において安定させることができ、バイオハザード対策用キャビネットとして信頼性を確保することができる。
【００６７】
なお、本実施形態では、整流板６は、例えば、本体ケース２において手前方向である開口部側、奥方向である背面側および開口部側と背面側の中央である中央部の３点において固定することによって整流板６を設置しているとして説明したがこれに限定されるものではない。本体ケース２の上方向である天面側に設置された空調装置５の下方側に整流板６を設置できる構成であればよい。
【００６８】
また、本実施形態では、設置用挿入部１５は、例えば、舌片状として説明したがこれに限定されるものではない。背面板４に設けられた設置用スリット部１６に挿入され、整流板６を本体ケース２内に設置する構成であればよい。
【産業上の利用可能性】
【００６９】
以上のように本発明のバイオハザード対策用キャビネットにおいては、バイオハザード対策用キャビネットとして信頼性を確保することができる。
【００７０】
したがって、例えば、実験環境機器に用いられるバイオハザード対策用キャビネットとしての活用が大いに期待されるものとなる。
【符号の説明】
【００７１】
１  キャビネット（バイオハザード対策用キャビネット）
２  本体ケース
３  前面シャッタ
４  背面板
５  空調装置
６  整流板
７  開口部
９  底面板
１０  前面側気体排出部
１１  背面側気体排出部
１２  整流面
１３  貫通孔
１４  側壁部
１５  設置用挿入部
１６  設置用スリット部
１７  調整面
【図１】
0006568778.tif 000002
【図２】
0006568778.tif 000003